(57)【要約】【課題】前伝動ケースと後伝動ケースとの間での潤滑油循環を上記した如く有利な状態で行わせることができる状態、かつ、回転数センサーの取付けが可能な状態を後伝動ケースの製作面で有利に備えさせられる水田作業機を提供する。【解決手段】前伝動ケース２１と後伝動ケース３０とにわたり、前伝動ケース２１と後伝動ケース３０との間で潤滑油を循環させる循環管路４５，４６を接続してある。循環管路４５，４６を後伝動ケース３０の内部に連通させる貫通孔４７、及び、後輪伝動機構を構成する回転部材の回転数を検出する回転数センサー５０を後伝動ケース３０に装着する為の取付孔５１を、後伝動ケース３０に機体前方向きに開口する状態で平行に設けてある。【選択図】図３
2015147504.tif 000002
【特許請求の範囲】
【請求項１】
機体の前部に設けられ、前輪伝動機構が内装された前伝動ケースと、
前記機体の後部に設けられ、後輪伝動機構が内装された後伝動ケースとを備え、
前記前伝動ケースと前記後伝動ケースとにわたり、前記前伝動ケースと前記後伝動ケースとの間で潤滑油を循環させる循環管路を接続し、
前記循環管路を前記後伝動ケースの内部に連通させる貫通孔、及び、前記後輪伝動機構を構成する回転部材の回転数を検出する回転数センサーを前記後伝動ケースに装着する為の取付孔を、前記後伝動ケースに機体前方向きに開口する状態で平行に設けてある水田作業機。
【請求項２】
前記機体の前後方向に長手方向を有する機体フレームを備え、
前記貫通孔及び前記取付孔は、前記機体フレームよりも機体横外側に配置してある請求項１に記載の水田作業機。
【請求項３】
前記貫通孔と前記取付孔とが機体横方向に並んでいる請求項１又は２に記載の水田作業機。
【請求項４】
前記取付孔が前記貫通孔よりも機体横外側に位置している請求項３に記載の水田作業機。
【請求項５】
前記循環管路として、前記前伝動ケースから前記後伝動ケースに潤滑油を機体後方向きに流動させる後方向き循環管路、及び、前記後伝動ケースから前記前伝動ケースに潤滑油を機体前方向きに流動させる前方向き循環管路を備えている請求項１〜４のいずれか一項に記載の水田作業機。
【発明の詳細な説明】
【技術分野】
【０００１】
本発明は、機体の前部に設けられ、前輪伝動機構が内装された前伝動ケースと、前記機体の後部に設けられ、後輪伝動機構が内装された後伝動ケースとを備えた水田作業機に関する。
【背景技術】
【０００２】
従来、たとえば特許文献１に示される乗用型田植機があった。この乗用型田植機では、走行機体における機体フレームの前部に、左右の前車輪に動力伝達する伝動ケースが固定され、機体フレームの後部に、後車輪に伝動する後部伝動ケースが支持されている。伝動ケースと後部伝動ケースとがハウジングで連通接続され、伝動ケースと後部伝動ケースとの間での潤滑油の流動が可能に構成されている。
【０００３】
従来、たとえば特許文献２に示される乗用型田植機があった。この乗用型田植機では、機体の後部に、左右の後輪を駆動可能に支持する後車軸ケースが設けられ、後車軸ケースに回転数センサーが固定されている。回転数センサーにより、後車軸ケースの内部の伝動ギヤに一体回転自在に固定されたリング部材を検出対象として、後輪の回転数を検出するように構成されている。
【先行技術文献】
【特許文献】
【０００４】
【特許文献１】特開２００９−９２１６９号公報
【特許文献２】特開２０１１−６７２０９号公報
【発明の概要】
【発明が解決しようとする課題】
【０００５】
上記した水田作業機において、前伝動ケースと後伝動ケースとの間で潤滑油を循環させる循環管路を前伝動ケースと後伝動ケースとにわたって接続するには、循環管路を後部伝動ケースの内部に連通させるための貫通孔を後部伝動ケースに設ける必要がある。
【０００６】
後輪伝動機構を構成する回転部材の回転数を検出する回転数センサーを後伝動ケースに取付けた水田作業機を構成するための後伝動ケースと、回転数センサーを備えない水田作業機を構成するための後伝動ケースとの共用を可能にするには、後伝動ケースとしては、いずれの水田作業機に装備されてもよいように、回転数センサーの取付孔を備えた状態に作製する必要がある。
【０００７】
循環管路は前伝動ケースと後伝動ケースとにわたって接続するものであるため、循環管路を連通させるべく後伝動ケースに設ける貫通孔を、機体前方向きに開口する状態で形成することにより、循環管路の曲がりを抑制できて潤滑油の流動がスムーズになるなど有利な状態で潤滑油循環を行なわせることができる。
しかし、回転数センサーの取付けを可能にする従来の技術を採用した場合、貫通孔を機体前方向きに開口させるのに対し、取付孔を機体上方向きに開口させるため、貫通孔を形成するための穴あけ作業と、取付孔を形成するための穴あけ作業とを行うのに手間が掛かっていた。
【０００８】
本発明の目的は、前伝動ケースと後伝動ケースとの間での潤滑油循環を上記した如く有利な状態で行わせることができる状態、かつ、回転数センサーの取付けが可能な状態を後伝動ケースの製作面で有利に備えさせられる水田作業機を提供することにある。
【課題を解決するための手段】
【０００９】
本第１発明による水田作業機は、
機体の前部に設けられ、前輪伝動機構が内装された前伝動ケースと、
前記機体の後部に設けられ、後輪伝動機構が内装された後伝動ケースとを備え、
前記前伝動ケースと前記後伝動ケースとにわたり、前記前伝動ケースと前記後伝動ケースとの間で潤滑油を循環させる循環管路を接続し、
前記循環管路を前記後伝動ケースの内部に連通させる貫通孔、及び、前記後輪伝動機構を構成する回転部材の回転数を検出する回転数センサーを前記後伝動ケースに装着する為の取付孔を、前記後伝動ケースに機体前方向きに開口する状態で平行に設けてあることを特徴とする。
【００１０】
本第１発明の構成によると、循環管路を後伝動ケースに対してその機体前方から接続し、循環管路に機体上下方向での曲がりを設けなくて済むとかあまり設けなくて済む。
後輪伝動機構を構成する回転部材の回転数を検出する回転数センサーの装備が必要ならば、取付孔を使用すれば済み、取付孔を新たに設けずに取り付けられる。
貫通孔及び取付孔を後伝動ケースに機体前方向きに開口する状態で平行に設けてあるから、貫通孔及び取付孔を設けるのに、貫通孔形成用の穴あけドリルと、取付孔形成用の穴あけドリルとを平行に準備して一挙に作用させられるとか、貫通孔形成用の箇所と取付孔形成用の箇所とにドリルをわずかに移動させるだけで済むなど、貫通孔及び取付孔を備えた後伝動ケースを製作容易に得られる。
【００１１】
従って、本第１発明によると、前伝動ケースと後伝動ケースとの間において、機体上下方向の曲がりが無いとか少ない循環管路によって潤滑油をスムーズに循環させ、潤滑油の温度上昇の抑制などを効果的にでき、かつ、回転数センサーを必要に応じて備えさせるのに、取付孔を新たに設けずに済む水田作業機を、後伝動ケースの製作面から安価に得られる。
【００１２】
本第２発明では、前記機体の前後方向に長手方向を有する機体フレームを備え、前記貫通孔及び前記取付孔は、前記機体フレームよりも機体横外側に配置してある。
【００１３】
本構成によると、循環管路や回転数センサーを取付けるのに、機体フレームよりも横外側で作業でき、容易かつ迅速に取り付けられる。
【００１４】
本第３発明では、前記貫通孔と前記取付孔とが機体横方向に並んでいる。
【００１５】
本構成によると、後伝動ケースのうちの貫通孔及び取付孔を設ける部位の外周形状が機体側面視で機体前方向きに凸の湾曲形状であるとか、上下長さが短くても、貫通孔及び取付孔を機体上下方向に並べるのに比べ、穴あけドリルを作用させ易いとか、スペースを確保し易いなど設けやすい。
【００１６】
本第４発明では、前記取付孔が前記貫通孔よりも機体横外側に位置している。
【００１７】
回転数センサーを取付けた場合、循環管路よりも回転数センサーの方のメンテナンスが必要になりがちとなる。本構成によると、回転数センサーの点検や交換作業を機体横外側から行うのに循環管路が障害になり難くて行ない易い。
【００１８】
本第５発明では、前記循環管路として、前記前伝動ケースから前記後伝動ケースに潤滑油を機体後方向きに流動させる後方向き循環管路、及び、前記後伝動ケースから前記前伝動ケースに潤滑油を機体前方向きに流動させる前方向き循環管路を備えている。
【００１９】
本構成によると、前伝動ケースと後伝動ケースとの間で循環する潤滑油が後方向き循環管路と前方向き循環管路とに分かれて流動するから、後伝動ケースに向かう潤滑油と前伝動ケースに向かう潤滑油とが干渉し合わなくて潤滑油がスムーズに循環し易く、潤滑油の昇温抑制などを効果的にできる。
【図面の簡単な説明】
【００２０】
【図１】水田作業機の全体を示す側面図である。
【図２】循環管路を示す側面図である。
【図３】循環管路及び回転数センサーを示す平面図である。
【図４】後伝動ケースの左端寄り部位の展開状態を示す断面図である。
【図５】後伝動ケースの左端寄り部位を示す縦断側面図である。
【発明を実施するための形態】
【００２１】
以下、本発明の実施の形態を図面に基づいて説明する。
図１は、本発明の実施例に係る水田作業機の全体を示す側面図である。本発明の実施例に係る水田作業機は、左右一対の前車輪１及び左右一対の後車輪２が駆動されることによって自走し、左右一対の前車輪１が操向操作されることによって走行向きを変更するよう構成された自走機体を備えている。自走機体の前部には、エンジン３ａを備えた原動部３を設け、原動部３の両横側に、予備苗載台装置４を配備してある。自走機体の後部には、運転座席５ａを備えた搭乗型の運転部５を設けてある。機体の後部に苗植付装置１０を下降作業状態と上昇非作業状態とに昇降操作できるように連結してある。
【００２２】
この水田作業機は、苗植付装置１０を下降作業状態にして自走機体を走行させることにより、苗植付装置１０により、8条植えが可能な苗植付作業を行なうものである。
【００２３】
苗植付装置１０について説明する。
苗植付装置１０は、自走機体の機体フレーム２０から後方に上下揺動するように延出されたリンク機構８に支持され、リンク機構８が昇降シリンダ９によって昇降されることにより、接地フロート１１が圃場面に接地した下降作業状態と、接地フロート１１が圃場面から高く上昇した上昇非作業状態とに昇降操作される。苗植付装置１０は、機体横方向に並ぶ複数の接地フロート１１、機体横方向に並ぶ８つの苗植付機構１２、及び一つの苗載台１３を備えている。苗載台１３は、８つの苗植付機構１２に供給するマット状苗を機体横方向に並べて載置する苗載置部を備えている。苗載台１３は、苗植付機構１２の苗植え運動に連動させて機体横方向に往復移送され、各苗植付機構１２がマット状苗の下端部の横方向での一端側から他端側に向けて順次に苗取出しするように、マット状苗を苗植付機構１２に対して横移動させる。
【００２４】
自走機体について説明する。
図１，２，３に示すように、自走機体は、機体前部を構成する前伝動ケース２１、前伝動ケース２１の後端部に前端部が連結され、機体後部を構成する左右一対の機体前後方向に長い機体フレーム２０、左右一対の機体フレーム２０から機体上方向きに突設された運転部フレーム２２を備えている。左右一対の機体フレーム２０の前端部は、前伝動ケース２１の後部にステーを装着して構成された支持部２１ａに連結してある。
【００２５】
前伝動ケース２１は、機体横方向での一端部の外側に入力プーリ２３ａが装備されたトランスミッションケース部２３、トランスミッションケース部２３の左横側部及び右横側部から機体横外向きに延出された前輪駆動ケース部２４、左右の前輪駆動ケース部２４それぞれの延出端部に上端側が支持された前輪支持ケース部２５（図１参照）を備えている。
【００２６】
左右の前輪支持ケース部２５それぞれの下端側に前車輪１を前車軸まわりに回転するように支持してある。従って、左右の前車輪１は、前伝動ケース２１の横端部に前車軸まわりに回転するように支持されている。
【００２７】
左右の前輪支持ケース部２５は、前輪駆動ケース部２４に機体上下向きの操向軸芯まわりに相対回動するように支持されている。左右の前車輪１は、前輪支持ケース部２５が運転部５に設けてあるステアリングホィール５ｂの回転操作によって前輪駆動ケース部２４に対して回動操作されることにより、操向軸芯まわりに操向操作される。
【００２８】
左右の前車輪１は、エンジン３ａの出力軸からの駆動力が前伝動ケース２１に内装してある前輪伝動機構２７によって伝達されることにより、駆動されるようになっている。
【００２９】
前輪伝動機構２７は、トランスミッションケース部２３に内装された静油圧式の無段変速装置２８及び前輪差動機構（図示せず）、左右の前輪駆動ケース部２４に内装された機体横向きの回転伝動軸２９、前輪支持ケース部２５に内装された機体上下向きの回転伝動軸（図示せず）を備えている。
【００３０】
前輪伝動機構２７は、入力プーリ２３ａによってトランスミッションケース部２３に入力されたエンジン３ａからの駆動力によって無段変速装置２８の油圧ポンプ（図示せず）を駆動し、無段変速装置２８の油圧モータ（図示せず）からの出力を、前輪差動機構から左右の回転伝動軸２９に伝達し、この回転伝動軸２９から前輪支持ケース部２５の回転伝動軸を介して前車輪１に伝達する。
【００３１】
左右の後車輪２は、左右一対の機体フレーム２０の後端部の下方に配備された機体横方向に長い後伝動ケース３０の横端部に後車軸まわりに回転するように支持されている。
【００３２】
トランスミッションケース部２３に設けた出力軸２３ｂの駆動力が回転伝動軸３１を介して後伝動ケース３０の入力軸３０ａに伝達されるように構成してある。左右の後車輪２は、入力軸３０ａに伝達されたエンジン３ａからの駆動力が後伝動ケース３０に内装してある後輪伝動機構３２によって伝達されることにより、駆動されるようになっている。
【００３３】
図３，４，５に示すように、後輪伝動機構３２は、入力軸３０ａの駆動力がベベルギヤ機構を介して伝達される機体横向きの回転伝動軸３３、回転伝動軸３３の駆動力が入力される操向クラッチ３４、操向クラッチ３４の出力を減速して後車軸２ａに伝達する減速ギヤ伝動機構３５を備えている。
【００３４】
図２に示すように、後伝動ケース３０は、５リンクサスペンション型式の支持構造で支持されている。
すなわち、後伝動ケース３０は、左右一対のアッパーリンク３７及び左右一対のロワーリンク３８を介して機体に支持してある。左右のアッパーリンク３７の前端部は、機体フレーム２０に設けた支持部２０ａに上下揺動自在に連結し、左右のアッパーリンク３７の後端部は、後伝動ケース３０の前部に連結されたブラケット３９に上下揺動自在に連結してある。左右のロワーリンク３８の前端部は、前伝動ケース２１の支持部２１ａに上下揺動自在に連結し、左右のロワーリンク３８の後端部は、ブラケット３９に上下揺動自在に連結してある。後伝動ケース３０と機体フレーム２０とにわたり、ラテラルロッド（図示せず）を上下揺動自在に連結してある。
【００３５】
ブラケット３９の両横側において、ブラケット３９に支持されたスプリング受け４０と、機体フレーム２０に支持されたスプリング受け４１とにわたり、サスペンションバネ４２を装着してある。機体フレーム側のスプリング受け４１は、サスペンションバネ４２を受け止め支持する平板部と、サスペンションバネ４２の前後側で平板部に対して機体下方向きに折れ曲がった補強リブ４１ａとを備えている。
【００３６】
図２，３に示すように、前伝動ケース２１と後伝動ケース３０とにわたり、潤滑油を循環させる循環管路としての後方向き循環管路４５及び前方向き循環管路４６を接続し、前伝動ケース２１と後伝動ケース３０との間で潤滑油を循環させられるように構成してある。
【００３７】
つまり、後方向き循環管路４５の前端部４５ａは、前伝動ケース２１のトランスミッションケース部２３に設けた貫通孔に接続し、前伝動ケース２１の内部うちの無段変速装置２８が位置する部位に貫通孔によって連通させてある。後方向き循環管路４５の後端部４５ｂは、後伝動ケース３０の左端寄り部位に設けた貫通孔４７（図４参照）に接続し、この貫通孔４７によって後伝動ケース３０の内部に連通させてある。
【００３８】
前方向き循環管路４６の前端部４６ａは、前伝動ケース２１の後方向き循環管路４５が接続している横端部とは反対側のトランスミッションケース部２３の横端部に連結している前輪駆動ケース部２４に設けた貫通孔に接続し、前伝動ケース２１における前輪駆動ケース部２４の内部に貫通孔によって連通させてある。前方向き循環管路４６の後端部４６ｂは、後伝動ケース３０の右端寄り部位に設けた貫通孔４７に接続し、この貫通孔４７によって後伝動ケース３０の内部に連通させてある。
【００３９】
すなわち、無段変速装置２８に潤滑油を作動油として供給するチャージポンプＰの送り作用により、前伝動ケース２１に位置する潤滑油が、トランスミッションケース部２３から後方向き循環管路４５に送り込まれ、後方向き循環管路４５を後方向きに流動して貫通孔４７から後伝動ケース３０に流入する。後伝動ケース３０に位置する潤滑油が、貫通孔４７から前方向き循環管路４６に送り込まれ、前方向き循環管路４６を前方向きに流動して前方向き循環管路４６の前端部４６ａから前輪駆動ケース部２４に流入する。
【００４０】
後方向き循環管路４５の後端側の一部４５ｃ、及び前方向き循環管路４６の後端側の一部４６ｃは、後伝動ケース３０のサスペンション揺動に伴って曲がり変形するように可撓性を備えた弾性管によって構成してある。
【００４１】
図３に示すように、後方向き循環管路４５を接続する後伝動ケース３０の貫通孔４７は、左の機体フレーム２０よりも機体左横外側に配置してある。前方向き循環管路４６を接続する後伝動ケース３０の貫通孔４７は、右の機体フレーム２０よりも機体右横外側に配置してある。
【００４２】
後方向き循環管路４５を接続する後伝動ケース３０の貫通孔４７、及び前方向き循環管路４６を接続する後伝動ケース３０の貫通孔４７は、後方向き循環管路４５及び前方向き循環管路４６を貫通孔４７に対して後伝動ケース３０の前方箇所から後方向きに接続操作できるように、機体前方向きに開口する状態に形成してある。
【００４３】
図３に示すように、後伝動ケース３０に左右一対の回転数センサー５０を取付けてある。図４は、後伝動ケース３０の左端寄り部位の展開状態を示す断面図である。図５は、後伝動ケース３０の左端寄り部位を示す縦断側面図である。
【００４４】
図３，４，５に示すように、左の回転数センサー５０は、後伝動ケース３０の左端寄り部位に設けた取付孔５１に取付け、後輪伝動機構３２を構成する左後車輪用の操向クラッチ３４における出力側の回転部材３４ａの回転数を左の後車輪２の回転数として検出するように構成してある。
【００４５】
すなわち、左の回転数センサー５０の検出部を、左後車輪用の操向クラッチ３４における出力側の回転部材３４ａに一体回転するように連結したリング部材５２に対向させてある。リング部材５２の外周部には、リング部材５２の周方向に所定間隔を空けて並んだ多数の凸部を形成してある。回転数センサー５０は、近接センサー型式のセンサーによって構成し、リング部材５２の凸部に対応するパルス信号を発信するように構成してあり、パルスによって左の後車輪２の回転数を検出できる。
【００４６】
左の回転数センサー５０を取付ける後伝動ケース３０の取付孔５１は、左の機体フレーム２０よりも機体左横外側に配置してある。左の回転数センサー５０を取付ける後伝動ケース３０の取付孔５１は、後方向き循環管路４５が接続する貫通孔４７と一挙に穴あけできるように、機体前方向きに開口する状態に、かつ後方向き循環管路４５が接続する貫通孔４７に対して平行に並ぶ状態に形成してある。左の回転数センサー５０を取付ける後伝動ケース３０の取付孔５１と、後方向き循環管路４５が接続する貫通孔４７とは、機体横方向に並ぶように、かつ、取付孔５１が貫通孔４７よりも機体左横外側に位置するように配置してある。
【００４７】
前方向き循環管路４６を接続する後伝動ケース３０の貫通孔４７、右の回転数センサー５０、及び右の回転数センサー５０を取付ける後伝動ケース３０の取付孔５１の詳細を示す図は省略するが、右の回転数センサー５０は、左の回転数センサー５０と同じ構成を備えている。左の回転数センサー５０を取付ける後伝動ケース３０の取付孔５１は、左の機体フレーム２０より機体左横外側に位置するのに対し、右の回転数センサー５０を取付ける後伝動ケース３０の取付孔５１は、右の機体フレーム２０よりも機体右横外側に位置する点においては、右の回転数センサー５０の取付構成と、左の回転数センサー５０の取付構成とで相違しているが、前方向き循環管路４６を接続する後伝動ケース３０の貫通孔４７及び右の回転数センサー５０を取付ける後伝動ケース３０の取付孔５１における開口及び配置関係の点においては、右の回転数センサー５０の取付構成と、左の回転数センサー５０の取付構成とが同じになっている。
【００４８】
左及び右の回転数センサー５０は、操向制御手段を備えた制御装置５３に連係させてある。制御装置５３は、左右の回転数センサー５０による検出情報を基に左右の後車輪２の走行距離を検出し、この検出結果を基に左右の前車輪１を操向制御し、自走機体の畦際旋回を自動的に行わせるものである。
【００４９】
〔別実施例〕
（１）上記した実施例では、回転数センサー５０を装備した例を示したが、後伝動ケース３０に取付孔５１を設けるだけで、回転数センサー５０を備えないで実施してもよい。この場合、取付孔５１をプラグで塞いでおく。
【００５０】
（２）上記した実施例では、貫通孔４７と取付孔５１とが機体横方向に並ぶよう構成した例を示したが、機体上下方向に並ぶ構成を採用して実施してもよい。
【００５１】
（３）上記した実施例では、取付孔５１が貫通孔４７よりも機体横外側に位置するよう構成した例を示したが、取付孔５１が貫通孔４７よりも機体横内側に位置する構成を採用して実施してもよい。
【００５２】
（４）上記した実施例では、循環管路として後方向き循環管路４５及び前方向き循環管路４６を設けた例を示したが、一つの循環管路によって後伝動ケース３０への潤滑油の流動、及び前伝動ケース２１への潤滑油の流動を行なわせるように構成して実施してもよい。
【００５３】
（５）上記した実施例では、後方向き循環管路４５を自走機体の左側に設け、前方向き循環管路４６を自走機体の右側に設けた例を示したが、後方向き循環管路４５を自走機体の右側に設け、前方向き循環管路４６を自走機体の左側に配置して実施してもよい。
【００５４】
（６）上記した実施例では、操向クラッチ３４の出力側の回転部材３４ａの回転数を検出する回転数センサー５０を採用した例を示したが、伝動ギヤや回転伝動軸の回転数を検出する回転数センサーを採用して実施してもよい。
【００５５】
（７）上記した実施例では、チャージポンプを潤滑油の循環ポンプに採用した例を示したが、循環専用のポンプを採用して実施してもよい。
【産業上の利用可能性】
【００５６】
本発明は、苗植付装置を備えた水田作業機の他、播種装置を備えた水田作業機にも利用可能である。
【符号の説明】
【００５７】
２０        機体フレーム
２１        前伝動ケース
２７        前輪伝動機構
３０        後伝動ケース
３２        後輪伝動機構
３４ａ      回転部材
４５        循環油路（後方向き循環油路）
４６        循環油路（前方向き循環油路）
４７        貫通孔
５０        回転数センサー
５１        取付孔
【図１】
2015147504.tif 000003
【図２】
2015147504.tif 000004
【図３】
2015147504.tif 000005
【図４】
2015147504.tif 000006
【図５】
2015147504.tif 000007